(57)【要約】【課題】界磁部の対向面において所定の軸に対する径方向に延びて分布する渦電流による損失を低減する。【解決手段】この回転電機は、所定の軸（Ｑ１）の周りに複数の巻線用磁芯を有する電機子と、前記巻線用磁芯と対向する様に前記所定の軸の周りに複数の界磁部（１０ａ）を有する界磁子（１０）とを備え、前記各界磁部の前記電機子との対向面（１０ｃ）において、少なくとも表層に、前記所定の軸に対する略周方向（Ｑ３）に延びた細長の溝（１２ｍ）が１つまたは複数形成される。【選択図】図１０
2011072114.tif 000002
【特許請求の範囲】
【請求項１】
所定の軸（Ｑ１）の周りに複数の巻線用磁芯（１１ａ）を有する電機子（１１）と、
前記巻線用磁芯と対向する様に前記所定の軸の周りに複数の界磁部（１０ａ）を有する界磁子（１０）と、
を備え、
前記各界磁部の前記電機子との対向面（１０ｃ）と前記各巻線用磁芯の前記界磁子との対向面（１１ｄ）との少なくとも一方の対向面において、少なくとも表層に、前記所定の軸に対する略周方向（Ｑ３）に延びた細長の絶縁領域（１２）が１つまたは複数形成されることを特徴とするアキシャルギャップ型回転電機。
【請求項２】
請求項１に記載のアキシャルギャップ型回転電機であって、
前記絶縁領域（１２）は、溝（１２ｍ）であることを特徴とするアキシャルギャップ型回転電機。
【請求項３】
請求項１に記載のアキシャルギャップ型回転電機であって、
前記絶縁領域（１２）は、前記界磁部または前記巻線用磁芯を前記所定の軸に平行な方向に貫通するスリット（１２ｓ）であることを特徴とするアキシャルギャップ型回転電機。
【請求項４】
請求項１に記載のアキシャルギャップ型回転電機であって、
前記絶縁領域（１２）は、絶縁物質（１２ｆ）により形成されることを特徴とするアキシャルギャップ型回転電機。
【請求項５】
請求項１に記載のアキシャルギャップ型回転電機であって、
前記絶縁領域（１２）は、前記所定の軸に対する径方向（Ｑ２）のうち前記対向面を２等分する方向（Ｑ２ａ）に直交する方向に直線状に延びることを特徴とするアキシャルギャップ型回転電機。
【請求項６】
請求項１に記載のアキシャルギャップ型回転電機であって、
前記絶縁領域（１２）が複数並列形成される場合において、
前記各絶縁領域は、それらの一端（１２ａ）が前記対向面における前記所定の軸に対する周方向（Ｑ３）の一端で開放され、それらの他端（１２ｂ）が開放されず、それらの前記一端（１２ａ）が前記周方向の一側と他側とに交互に配置する様に形成されることを特徴とするアキシャルギャップ型回転電機。
【請求項７】
請求項１〜６の何れかに記載のアキシャルギャップ型回転電機であって、
前記絶縁領域（１２）が複数並列形成される場合において、
隣り合う前記絶縁領域の間の間隔（ｄ２）は、前記絶縁領域の径方向（Ｑ２）の幅（ｄ１）よりも大きいことを特徴とするアキシャルギャップ型回転電機。
【請求項８】
請求項２に記載のアキシャルギャップ型回転電機であって、
前記界磁部（１０ａ）の各々において前記溝（１２ｍ）は、前記界磁部（１０ａ）の側面（１０ｇ）で開放する一端（１２ａ）を有し、
前記界磁子（１０）は、
前記各界磁部が嵌合配置される複数の嵌合空間（１０ｄ）を前記電機子（１１）と対向する側に有する保持枠（１０ｂ）と、
前記保持枠に設けられ、前記嵌合空間内に配置された前記界磁部の前記一端から前記溝に係合する係合部（１０ｅ）と、
を更に備えることを特徴とするアキシャルギャップ型回転電機。
【発明の詳細な説明】
【技術分野】
【０００１】
本発明は、アキシャルギャップ型回転電機に関し、特に界磁子と電機子との互いの対向面に発生する渦電流を遮断する技術に関する。
【背景技術】
【０００２】
アキシャルギャップ型回転電機は、例えば固定された電機子と、所定の軸周りに回転自在に配置された界磁子とを備えている。電機子は、その一方主面において前記所定の軸の周りに複数の巻線用磁芯を有している。界磁子は、前記巻線用磁芯と対向する一方主面において前記所定の軸の周りに複数の界磁部を有している（特許文献１）。界磁部および巻線用磁芯はそれぞれ、圧粉磁芯または積層鋼板により形成される。
【０００３】
複数の巻線用磁芯は例えば３組に分けられ、それら３組の巻線用磁芯に巻回されたコイル（電機子用巻線）に３相交流電流が印加される事で、巻線用磁芯と界磁部との間に前記交流に応じて磁気力が発生し、この磁気力により界磁子が回転される。
【先行技術文献】
【特許文献】
【０００４】
【特許文献１】特開２００８−８６１１５号公報
【発明の概要】
【発明が解決しようとする課題】
【０００５】
圧粉磁芯は、微粒子状の磁性体を絶縁バインダで固めたものである。そのため、界磁部が圧粉磁芯により形成された場合、微粒子間の絶縁不足により、前記コイルに流れる電流による磁束により微粒子間に渦電流が発生する。
【０００６】
また前記コイルに流れる電流による磁束は、前記所定の軸に対する径方向には一様に分布し前記所定の軸に対する周方向には疎密状に分布する。そのため、当該磁束により発生する微粒子間渦電流は、前記径方向に延びた電流経路を形成する。
【０００７】
よって図１１の様に、界磁部１０ａが圧粉磁芯により形成された場合は、界磁部１０ａの電機子との対向面１０ｃに前記所定の軸に対する径方向Ｑ２に延びた渦電流経路１００が形成され、その渦電流による損失が発生するという問題がある。同様に巻線用磁芯が圧粉磁芯により形成された場合も、巻線用磁芯の界磁子との対向面に前記所定の軸に対する径方向Ｑ２に延びた渦電流経路が形成され、その渦電流による損失が発生するという問題がある。
【０００８】
この発明の課題は、上記のような問題点を解決するためになされたものであり、界磁部および電機子用巻線のそれらの対向面において所定の軸に対する径方向に延びて分布する渦電流による損失を低減するアキシャルギャップ型回転電機を提供することにある。
【課題を解決するための手段】
【０００９】
上記課題を解決する為に、本発明の第１の態様は、所定の軸（Ｑ１）の周りに複数の巻線用磁芯（１１ａ）を有する電機子（１１）と、前記巻線用磁芯と対向する様に前記所定の軸の周りに複数の界磁部（１０ａ）を有する界磁子（１０）と、を備え、前記各界磁部の前記電機子との対向面（１０ｃ）と前記各巻線用磁芯の前記界磁子との対向面（１１ｄ）との少なくとも一方の対向面において、少なくとも表層に、前記所定の軸に対する略周方向（Ｑ３）に延びた細長の絶縁領域（１２）が１つまたは複数形成されるものである。
【００１０】
本発明の第２の態様は、第１の態様に記載のアキシャルギャップ型回転電機であって、前記絶縁領域（１２）は、溝（１２ｍ）であるものである。
【００１１】
本発明の第３の態様は、第１の態様に記載のアキシャルギャップ型回転電機であって、前記絶縁領域（１２）は、前記界磁部または前記巻線用磁芯を前記所定の軸に平行な方向に貫通するスリット（１２ｓ）であるものである。
【００１２】
本発明の第４の態様は、第１の態様に記載のアキシャルギャップ型回転電機であって、前記絶縁領域（１２）は、絶縁物質（１２ｆ）により形成されるものである。
【００１３】
本発明の第５の態様は、第１の態様に記載のアキシャルギャップ型回転電機であって、前記絶縁領域（１２）は、前記所定の軸に対する径方向（Ｑ２）のうち前記対向面を２等分する方向（Ｑ２ａ）に直交する方向に直線状に延びるものである。
【００１４】
本発明の第６の態様は、第１の態様に記載のアキシャルギャップ型回転電機であって、前記絶縁領域（１２）が複数並列形成される場合において、前記各絶縁領域は、それらの一端（１２ａ）が前記対向面における前記所定の軸に対する周方向（Ｑ３）の一端で開放され、それらの他端（１２ｂ）が開放されず、それらの前記一端（１２ａ）が前記周方向の一側と他側とに交互に配置する様に形成されるものである。
【００１５】
本発明の第７の態様は、第１〜６の態様の何れかに記載のアキシャルギャップ型回転電機であって、前記絶縁領域（１２）が複数並列形成される場合において、隣り合う前記絶縁領域の間の間隔（ｄ２）は、前記絶縁領域の径方向（Ｑ２）の幅（ｄ１）よりも大きいものである。
【００１６】
本発明の第８の態様は、第２の態様に記載のアキシャルギャップ型回転電機であって、前記界磁部（１０ａ）の各々において前記溝（１２ｍ）は、前記界磁部（１０ａ）の側面（１０ｇ）で開放する一端（１２ａ）を有し、前記界磁子（１０）は、前記各界磁部が嵌合配置される複数の嵌合空間（１０ｄ）を前記電機子（１１）と対向する側に有する保持枠（１０ｂ）と、前記保持枠に設けられ、前記嵌合空間内に配置された前記界磁部の前記一端から前記溝に係合する係合部（１０ｅ）と、を更に備えるものである。
【発明の効果】
【００１７】
本発明の第１の態様によれば、略周方向（Ｑ３）に延びた絶縁領域により径方向（Ｑ２）に延びた渦電流経路を遮断でき、当該渦電流による損失を低減できる。
【００１８】
本発明の第２、第５または第６の態様によれば、絶縁領域（１２）を簡単に形成できる。
【００１９】
本発明の第３の態様によれば、渦電流経路を確実に遮断できる。
【００２０】
本発明の第４の態様によれば、絶縁領域（１２）が溝として形成される場合よりも渦電流経路をより確実に遮断できる。
【００２１】
本発明の第７の態様によれば、絶縁領域（１２）の対向面（１０ｃ）に対する占有率が高く成り過ぎる事を防止できる。
【００２２】
本発明の第８の態様によれば、係合部（１０ｅ）により界磁部（１０ａ）が嵌合空間（１０ｄ）から電機子１１側に脱落する事を防止できる。その際、係合部（１０ｅ）は界磁部（１０ａ）の溝（１２ｍ）の一端（１２ａ）から溝（１２ｍ）に係合するので、係合部（１０ｅ）が界磁部（１０ａ）の対向面（１０ｃ）から突出する事を防止できる。
【図面の簡単な説明】
【００２３】
【図１】第１〜第６実施形態に係るアキシャルギャップ型回転電機６０，６０Ｂ〜６０Ｆの分解斜視図である。
【図２】第１実施形態の場合の図１の界磁部１０ａの主面１０ｃを回転軸Ｑ１の一方側Ｑ−から見た図である。
【図３】図２のIII−III断面図である。
【図４】絶縁領域１２の形状の変形例を説明する図である。
【図５】絶縁領域１２の形状の他の変形例を説明する図である。
【図６】第４実施形態の場合の図１の界磁部１０ａの主面１０ｃを回転軸Ｑ１の一方側Ｑ−から見た図である。
【図７】図６のVII−VII断面図である。
【図８】第５実施形態の場合の図２のVIII−VIII断面図である。
【図９】第６実施形態における界磁子１０を回転軸Ｑ１の一方側Ｑ−から見た図である。
【図１０】第６実施形態における界磁子１０の分解斜視図である。
【図１１】界磁部１０ａの主面１０ｃにおいて径方向Ｑ２に沿って分布する渦電流を説明する図である。
【発明を実施するための形態】
【００２４】
＜第１実施形態＞
この実施形態に係るアキシャルギャップ型回転電機６０は、図１の様に、電機子（通常は固定子として機能する。）１１と、回転軸Ｑ１に平行な方向において電機子１１と間隔を空けて対向配置する界磁子（通常は回転子として機能する。）１０とを備えている。尚、図１のＱ１、Ｑ２、Ｑ３はそれぞれ、回転電機６０の回転軸（所定の軸）、回転軸Ｑ１に対する径方向、回転軸Ｑ１に対する周方向である。
【００２５】
界磁子１０は、界磁子用ヨーク（保持枠）１０ｂと、複数の界磁部１０ａとを備えている。
【００２６】
界磁子用ヨーク１０ｂは、非磁性材料により環板状（例えば円環板状）に形成されており、回転軸Ｑ１に垂直に配置される。界磁子用ヨーク１０ｂの中心には、回転シャフト（図示省略）が挿設される孔１０ｈが形成されている。界磁子用ヨーク１０ｂの電機子１１側の主面１０ｆには、複数の界磁部１０ａが周方向Ｑ３に互いに間隔を空けて環状に配設される。図１では、説明便宜上、界磁子用ヨーク１０ｂと界磁部１０ａとは分解された状態で図示されている。
【００２７】
各界磁部１０ａは、略台形状（ここでは下底１０ａ１が径方向Ｑ２の外側に凸状に湾曲した台形状）の平板状に形成されている。各界磁部１０ａは、それらの上底１０ａ２側が径方向Ｑ２の内側に向けられ且つそれらの下底１０ａ１側が外側に向けられて、回転軸Ｑ１の周りに配置される。
【００２８】
各界磁部１０ａは、例えば、磁石１０ａ３とコア１０ａ４とを備えている。磁石１０ａ３は、例えば略台形状の平板状に形成されている。コア１０ａ４は、例えば、圧粉磁芯により、磁石１０ａ３と同様に略台形状の平板状に形成されており、磁石１０ａ３の電機子１１側の主面に配設されている。界磁部１０ａは、コア１０ａ４の一方の主面１０ｃが界磁子１１側に向けられ且つその主面１０ｃが回転軸Ｑ１に垂直になる様に、界磁子用ヨーク１０ｂの主面１０ｆ側に配設される。尚、磁石１０ａ３だけまたはコア１０ａ４だけで界磁部１０ａを形成しても良い。
【００２９】
ここでは、界磁子用ヨーク１０ｂの主面１０ｆには、界磁部１０ａと同形同大の凹状の嵌合空間１０ｄが回転軸Ｑ１の周りに互いに間隔を空けて環状に複数形成されている。そして各嵌合空間１０ｄ内に、界磁部１０ａが、コア１０ａ４の一方主面１０ｃが電機子１１側に向けられて、嵌合配設される。ここでは、界磁部１０ａは、界磁子用ヨーク１０ｂの主面１０ｆに形成された嵌合空間１０ｄ内に嵌合配設されるが、嵌合空間１０ｄを形成せずに主面１０ｆ上に突出する様に配設されても良い。
【００３０】
各界磁部１０ａの主面１０ｃには、図２および図３の様に、少なくとも表層に、周方向Ｑ３に延びた細長の絶縁領域１２が１つまたは複数（図２では２つ）形成されている。より詳細には、各絶縁領域１２は、例えば、周方向Ｑ３に沿って円弧状に延びた細長の溝１２ｍとして形成されている。即ち、一般に溝１２ｍ内の中空は絶縁状態であるので、それを利用して各絶縁領域１２は溝１２ｍとして形成されている。ここでは各溝１２は、その両端１２ａが界磁部１０ａにおける周方向Ｑ３の両側面１０ｇで開放されている。また隣り合う各溝１２の間の間隔ｄ２は、各溝１２の径方向Ｑ２の幅ｄ１よりも大きくされている。
【００３１】
電機子１１は、図１の様に、複数の巻線用磁芯１１ａと、巻線用磁芯１１ａに巻回された電機子用巻線１１ｂと、電機子用ヨーク１１ｃとを備えている。
【００３２】
電機子用ヨーク１１ｃは、環板状（例えば円環板状）に形成されており、回転軸Ｑ１に垂直に配置される。電機子用ヨーク１１ｃの中央には、界磁子１０に挿設された前記回転シャフトが遊挿する孔１１ｅが形成されている。また電機子用ヨーク１１ｃの界磁子１０側の主面１１ｆには、複数（例えば界磁部１０ａと同数）の巻線用磁芯１１ａが、その外周に電機子用巻線１１ｂが巻回された状態で、複数の界磁部１０ａに対向する様に環状に配設される。図１では、１つの電機子用磁芯１１ａだけに電機子用巻線１１ｂが巻回されているが、実際には全ての巻線用磁芯１１ａに電機子用巻線１１ｂが巻回される。
【００３３】
巻線用磁芯１１ａは、例えば圧粉磁芯により、例えば略台形柱状に形成される。尚、巻線用磁芯１１ａは、必ずしも圧粉磁芯により形成される必要はなく、複数の磁性体板が径方向Ｑ２に積層されて構成されても良い。巻線用磁芯１１ａは、電機子用バックヨーク１１ｃの主面１１ｆにおいて、その略台形の下底に対応する側面１１ａ２が径方向Ｑ２の外側に向けられ且つその略台形の上底に対応する側面１１ａ１が径方向Ｑ２の内側に向けられて、回転軸Ｑ１の周りに環状に複数配置される。
【００３４】
尚、巻線用磁芯１１ａは、例えば、磁芯本体部１１ａ３と幅広磁芯部１１ａ４とを有している。磁芯本体部１１ａ３は、例えば略台形柱状に形成されており、その外周に電機子用巻線１１ｂが巻回される。幅広磁芯部１１ａ４は、磁芯本体部１１ａ３の界磁子１０側の主面に、磁芯本体部１１ａ３の外周側に張り出す様に形成されている。
【００３５】
電機子用ヨーク１１ｃは、図１の様に、例えば複数の磁性体板２４を回転軸Ｑ１方向に積層して構成される。尚、作図便宜上、磁性体２４は一部のみ図示している。また電機子用ヨーク１１ｃは、必ずしも複数の磁性体板２４を積層して形成する必要はなく、圧粉磁心等により一体成形しても良く、また必ずしも回転軸Ｑ１方向に積層する必要はなく、径方向Ｑ２に分割して構成しても良い。
【００３６】
この回転電機６０では、複数の巻線用磁芯１１ａは例えば３組に分けられ、それら３組の巻線用磁芯１１ａに巻回された電機子用巻線１１ｂに３相交流電流が印加され、この印加により巻線用磁芯１１ａと界磁部１０ａとの間に前記交流に応じて磁気力が発生し、この磁気力により界磁子１０が周方向に回転される。このように回転させるために、電機子用巻線１１ｂに流れる電流による磁束は、周方向に回転するいわゆる回転磁界を形成する。かかる回転磁界は径方向Ｑ２には一様に分布し、その回転方向たる周方向Ｑ３には疎密状に分布する。そのため、界磁部１０ａの主面１０ｃの表層には、当該磁束により径方向Ｑ２に延びた渦電流の電流経路が形成される。この回転電機６０では、界磁部１０ａの主面１０ｃの表層に形成された絶縁領域１２により、当該電流経路は遮断される。
【００３７】
以上の様に構成された回転電機６０によれば、界磁部１０ａの主面１０ｃの表層において略周方向Ｑ３に延びた絶縁領域１２が形成されるので、その絶縁領域１２により、界磁部１０ａの主面１０ｃの表層において径方向Ｑ２に延びて発生する渦電流経路を遮断でき、当該渦電流による損失を低減できる。
【００３８】
また絶縁領域１２は溝１２ｍとして形成されるので、絶縁領域１２を簡単に形成できる。
【００３９】
また隣り合う絶縁領域１２の間の間隔ｄ２は、絶縁領域１２の径方向Ｑ２の幅ｄ１よりも大きいので、絶縁領域１２の主面（対向面）１０ｃに対する占有率が高く成り過ぎる事を防止できる。
【００４０】
尚この実施形態では、絶縁領域１２は、界磁部１０ａの主面１０ｃの表層に形成されたが、その代わりにまたは更に、巻線用磁芯１１ａの界磁子１０との対向面１１ｄの表層に形成されても良い。
【００４１】
＜第２実施形態＞
この実施形態に係る回転電機６０Ｂは、図５の様に、第１実施形態において、絶縁領域１２を、略周方向Ｑ３に延びる様に形成する代わりに、径方向Ｑ２のうち主面（対向面）１０ｃを２等分する方向Ｑ２ａに直交する方向に直線状に延びる様に形成したものである。この実施形態の他の部分は第１実施形態と同様に構成される。
【００４２】
この様に絶縁領域１２を形成しても、第１実施形態と同様の効果を得る事ができる。
【００４３】
＜第３実施形態＞
この実施形態に係る回転電機６０Ｃは、図４の様に、第１実施形態において、各絶縁領域１２を、それらの一端１２ａが主面（対向面）１０ｃの周方向Ｑ３の一端で開放され、それらの他端１２ｂは開放されず、それらの一端１２ａが周方向Ｑ３の一側と他側とに交互に配置する様に形成したものである。この実施形態の他の部分は第１実施形態と同様に構成される。
【００４４】
この様に絶縁領域１２を形成しても、第１実施形態と同様の効果を得る事ができる。
【００４５】
＜第４実施形態＞
この実施形態に係る回転電機６０Ｄは、図６および図７の様に、第１実施形態において、絶縁領域１２を、溝１２ｍとして形成する代わりに、界磁部１０ａを回転軸Ｑ１に平行な方向に貫通するスリット１２ｓとして形成したものである。ここでは、スリット１２ｓは、その両端１２ｃが界磁部１０ａの周方向Ｑ３の両側端で開放されない様に形成されている。これによりスリット１２ｓにより界磁部１０ａが分離する事が防止される。
【００４６】
以上の様に構成された回転電機６０Ｄによれば、渦電流経路が、界磁部１０ａの表面１０ｃから深い所にまで存在しても、渦電流経路を確実に遮断できる。
【００４７】
＜第５実施形態＞
この実施形態に係る回転電機６０Ｅは、図８の様に、第１実施形態において、絶縁領域１２を、溝１２ｍとして形成する代わりに、絶縁物質１２ｆにより形成したものである。より詳細には、この実施形態の絶縁領域１２は、第１実施形態において、溝１２ｍ内に樹脂またはゴムなどの絶縁物質を充填して形成されても良く、または第１実施形態において、溝１２ｍを形成せずに、界磁部１０ａの表層を酸化させてその酸化物を絶縁物質１２ｆとして絶縁領域１２を形成しても良い。
【００４８】
以上の様に構成された回転電機６０Ｅによれば、絶縁領域１２は絶縁物質１２ｆにより形成されるので、絶縁領域１２が溝１２ｍとして形成された場合よりも渦電流経路をより確実に遮断できる。特に絶縁領域１２を極細に形成する場合に有効である。
【００４９】
＜第６実施形態＞
この実施形態に係る回転電機６０Ｆは、図９の様に、第１実施形態において、界磁子用ヨーク（保持枠）１０ｂに、嵌合空間１０ｄ内に配置された界磁部１０ａの溝１２ｍに係合する係合部１０ｅを設けたものである。係合部１０ｅは、溝１２ｍの一端１２ａから溝１２ｍ内に沿って係合する。
【００５０】
この実施形態では、界磁子用ヨーク１０ｂは、例えば図１０の様に、ヨーク本体１０ｂ１と、蓋部１０ｂ２とを備えている。
【００５１】
ヨーク本体１０ｂ１は、内周枠部１０ｂ３と、外周枠部１０ｂ４と、複数の連結部１０ｂ５とを備えている。
【００５２】
内周枠部１０ｂ３は、環状（例えば略円環状）に形成されている。ここでは内周枠部１０ｂ３の外周形状は、回転軸Ｑ１方向に沿って見た平面視で、例えば略六角形状に形成されている。また外周枠部１０ｂ４は、環状（例えば円環状）に形成されており、内周枠部１０ｂ３の外周側に同心軸状に配置される。内周枠部１０ｂ３の中心孔１０ｈには、回転シャフト（図示省略）が同心軸状に挿設される。各連結部１０ｂ５は、内周枠部１０ｂ３と外周枠部１０ｍとの間において径方向Ｑ２に沿って配置されて、内周枠部１０ｂ３と外周枠部１０ｍとを連結する。
【００５３】
内周枠部１０ｂ３、外周枠部１０ｂ４および隣り合う連結部１０ｂ５により囲まれる空間が、界磁部１０ａが嵌合配置される嵌合空間１０ｄになっている。嵌合空間１０ｄの回転軸Ｑ１方向の幅ｄ３は、界磁部１０ａの同方向の幅ｄ４と同じ大きさに形成されている。
【００５４】
各連結部１０ｂ５の周方向Ｑ３の側面（ここでは両側面）１０ｂ６には、その一方側（電機子１１側）Ｑ−の周縁の適宜位置（即ち界磁部１０ａの各溝１２ｍの端部１２ａに対応する各位置）に、周方向Ｑ３に沿って突出する様に係合部１０ｅが形成される。
【００５５】
尚ここでは、内周枠部１０ｂ３、外周枠部１０ｂ４、連結部１０ｂ５および係合部１０ｅは、例えば、非磁性材料により一体的に形成されている。
【００５６】
蓋部１０ｂ２は、例えば絶縁材料により環板状に形成される。蓋部１０ｂ２は、ヨーク本体１０ｂ１における回転軸Ｑ１の他方側（電機子１１とは反対側）Ｑ＋の主面１０ｂ７上に、ヨーク本体１０ｂ１と同心軸状に配設される。蓋部１０ｂ２は、例えばネジ等によりヨーク本体１０ｂ１に固定される。
【００５７】
この実施形態では、界磁子１０は以下の様に組み立てられる。図１０を参照して、まずヨーク本体１０ｂ１の各嵌合空間１０ｄ内に、他方側Ｑ＋から、界磁部１０ａがその主面１０ｃが一方側Ｑ−に向けられた状態で嵌合配置される。この状態では、図９の様に、ヨーク本体１０ｂ１の係合部１０ｅは、界磁部１０ａの溝１２ｍの一端１２から溝１２ｍに係合する。この係合により、界磁部１０ａが、嵌合空間１０ｄから一方側Ｑ−に脱落する事が防止される。その際、係合部１０ｅは界磁部１０ａの溝１２ｍに係合するので、係合部１０ｅが界磁部１０ａの主面１０ｃから突出する事が防止される。
【００５８】
そしてヨーク本体１０ｂ１の他方側Ｑ＋の主面１０ｂ７上に、蓋部１０ｂ２が配設される。この蓋部１０ｂ２により、界磁部１０ａが、嵌合空間１０ｄから他方側Ｑ＋に脱落する事が防止される。
【００５９】
以上の様に構成された回転電機６０Ｆによれば、界磁子用ヨーク１０ｂにおいて嵌合空間１０ｄ内に配置された界磁部１０ａに係合する係合部１０ｅが形成されるので、界磁部１０ａが、嵌合空間から他方側Ｑ＋（即ち電機子１１側）に脱落する事が防止できる。
【００６０】
また係合部１０ｅは溝１２ｍの一端１２ａから溝１２ｍに係合するので、係合部１０ｅが界磁部１０ａの主面１０ｃから突出する事を防止できる。
【符号の説明】
【００６１】
１０  界磁子
１０ａ  界磁部
１０ｃ  主面（対向面）
１０ｄ  嵌合空間
１０ｅ  係合部
１１  電機子
１１ａ  巻線用磁芯
１１ｄ  対向面
１２  絶縁領域
１２ａ  一端
１２ｂ  他端
１２ｍ  溝
１２ｓ  スリット
１２ｆ  絶縁物質
６０，６０Ｂ〜６０Ｆ  回転電機
ｄ１  絶縁領域の幅
ｄ２  隣り合う絶縁領域の間の間隔
【図１】
2011072114.tif 000003
【図２】
2011072114.tif 000004
【図３】
2011072114.tif 000005
【図４】
2011072114.tif 000006
【図５】
2011072114.tif 000007
【図６】
2011072114.tif 000008
【図７】
2011072114.tif 000009
【図８】
2011072114.tif 000010
【図９】
2011072114.tif 000011
【図１０】
2011072114.tif 000012
【図１１】
2011072114.tif 000013